(57)【要約】同軸ケーブル状の二層導線をメガネ形コア１に複数回巻き付けて、その二層導線の中心導線２を一次巻線として利用する一方、その中心導線２の外側編組導線３の一端を接地する。【特許請求の範囲】
【請求項１】
コアに複数回巻き付けられて、中心導線が一次巻線を構成する一方、その中心導線の外側編組導線の一端が接地される同軸ケーブル状の二層導線と、上記コアに複数回巻き付けられて、二次巻線を構成する単層導線とを備えた通信用パルストランス。
【請求項２】
２つの貫通穴が施されているメガネ形のコアに同軸ケーブル状の二層導線と単層導線が複数回巻き付けられていることを特徴とする請求の範囲第１項記載の通信用パルストランス。
【請求項３】
貫通穴が施されているリング形のコアに同軸ケーブル状の二層導線と単層導線が複数回巻き付けられていることを特徴とする請求の範囲第１項記載の通信用パルストランス。
【請求項４】
外鉄形のコアに同軸ケーブル状の二層導線と単層導線が複数回巻き付けられていることを特徴とする請求の範囲第１項記載の通信用パルストランス。
【発明の詳細な説明】
【技術分野】  この発明は、例えば、変復調回路と電力線の間を絶縁する通信用パルストランスに関するものである。
【背景技術】  従来のパルストランスでは、１ターンの直線状導体が一次巻線を構成し、トランス鉄心に二次巻線が複数回巻き付けられている。
そして、一次巻線の周囲に複数の静電遮蔽導体（シールド導体）が配置され、複数の静電遮蔽導体が交互に２群に分割されて電位固定点に接続されている。
これにより、一次巻線側で発生した静電移行サージ（不要ノイズ）が二次巻線側に侵入することが防がれ、二次巻線に接続されるゲートパルス発生回路の誤動作の発生が防止される（例えば、特許文献１参照）。
ここで、例えば、電力線を信号通信線として利用するために、パルストランスを変復調回路と電力線の間に設置すると、パルストランスが変復調回路から出力された変調信号をディファレンシャル信号（差動信号）として電力線に重畳させるが、電力線は往復二重構造であるため、ディファレンシャル信号の電界は互いに逆特性となって打ち消される。
したがって、ディファレンシャル信号が電力線に重畳されても、電力線の外部に不要輻射が漏洩することはなく、周辺の通常放送波の受信に妨害を与えることはない。
しかし、パルストランスの一次巻線と二次巻線の間には、静電容量による結合が存在するため、変復調回路から出力された変調信号がコモンモード信号として直接二次側の電力線に伝達されることがある。
コモンモード信号の電界は、ディファレンシャル信号の電界のように互いに打ち消されることはないため、電力線の外部に不要輻射が漏洩し（この場合、電力線がコモンモード信号を発信するアンテナとして機能する）、周辺の通常放送波の受信に妨害を与えることがある。
なお、パルストランスの伝送効率を上げるために、一次側と二次側の結合度を高めると、一次巻線と二次巻線間の結合容量が増加して、電力線の外部に漏洩する不要輻射が増加する。
【特許文献１】  特開２００２−２７０４３０号公報（第４頁から第６頁、図１）
従来のパルストランスは以上のように構成されているので、一次巻線側で発生した静電移行サージ（不要ノイズ）が二次巻線側に侵入することが防がれるが、例えば変復調回路と電力線間に設置された場合、変復調回路から出力された変調信号がコモンモード信号として直接二次側の電力線に伝達されるため、電力線の外部に不要輻射が漏洩してしまうことがある課題があった。
この発明は上記のような課題を解決するためになされたもので、一次側から二次側へのコモンモード信号の伝達を抑制することができる通信用パルストランスを得ることを目的とする。
【発明の開示】
この発明に係る通信用パルストランスは、同軸ケーブル状の二層導線をコアに複数回巻き付けて、その二層導線の中心導線を一次巻線として利用する一方、その中心導線の外側編組導線の一端を接地するようにしたものである。
このことによって、一次側から二次側へのコモンモード信号の伝達を抑制することができるなどの効果がある。
【図面の簡単な説明】  第１図はこの発明の実施の形態１による通信用パルストランスを示す斜視図である。
第２図はこの発明の実施の形態１による通信用パルストランスの二層導線を示す断面図である。
第３図はこの発明の実施の形態１による通信用パルストランスの適用例を示す回路図である。
第４図はこの発明の実施の形態２による通信用パルストランスを示す斜視図である。
第５図はこの発明の実施の形態３による通信用パルストランスを示す斜視図である。
【発明を実施するための最良の形態】  以下、この発明をより詳細に説明するために、この発明を実施するための最良の形態について、添付の図面に従って説明する。
実施の形態１．
第１図はこの発明の実施の形態１による通信用パルストランスを示す斜視図であり、第２図はこの発明の実施の形態１による通信用パルストランスの二層導線を示す断面図である。
図において、メガネ形コア１は例えば鉄などの磁性材料で構成され、貫通穴１ａ，１ｂが施されている。
同軸ケーブル状の二層導線はメガネ形コア１に複数回巻き付けられて、その中心導線２が一次巻線を構成する一方、その中心導線２の外側編組導線３の一端が接地されている。グランド線４は一端が二層導線を構成している外側編組導線３と接続され、他端がグランドに接続されている。
単層導線５はメガネ形コア１に複数回巻き付けられて、二次巻線を構成している。
第３図はこの発明の実施の形態１による通信用パルストランスの適用例を示す回路図であり、図において、変復調回路１１は通信用パルストランスの一次巻線である中心導線２と接続され、送信対象の通信データを変調して、その変調信号を通信用パルストランスの中心導線２に出力する一方、通信用パルストランスの中心導線２から受信対象の変調信号を入力して復調する。
通信用パルストランスの二次巻線である単層導線５は絶縁用キャパシタ１２を介して電力線１３と接続されている。
次に動作について説明する。
最初に、通信用パルストランスのメガネ形コア１に対する導線の巻きつけ方について説明する。
まず、中心導線２と外側編組導線３からなる同軸ケーブル状の二層導線は、例えば、メガネ形コア１の貫通穴１ａの手前側から挿入されて奥側より取り出され、さらに、メガネ形コア１の貫通穴１ｂの奥側から挿入されて手前側より取り出されることにより、メガネ形コア１に巻き付けられる。
同軸ケーブル状の二層導線は、メガネ形コア１に複数回巻き付けられることにより、その中心導線２が一次巻線を構成する。この際、中心導線２を包み込んでいる外側編組導線３は、グランド線４を介してグランドに接地される。
また、単層導線５は、例えば、メガネ形コア１の貫通穴１ａの奥側から挿入されて手前側より取り出され、さらに、メガネ形コア１の貫通穴１ｂの手前側から挿入されて奥側より取り出されることにより、メガネ形コア１に巻き付けられる。
単層導線５は、メガネ形コア１に複数回巻き付けられることにより、二次巻線を構成する。
第３図に示すように、電力線１３を信号通信線として利用する場合には、変復調回路１１と電力線１３間を絶縁する必要があるので、上記のような通信用パルストランスが変復調回路１１と電力線１３の間に設置される。
変復調回路１１は、通信用パルストランスの一次巻線である中心導線２と接続されているので、送信対象の通信データを変調すると、その変調信号を通信用パルストランスの中心導線２に出力する。
このように、通信用パルストランスの中心導線２に変調信号が出力されると、通信用パルストランスのメガネ形コア１を貫くように、中心導線２に電流が流れるので、通信用パルストランスの二次側に変調信号の電圧が誘起される。
この結果、変調信号は、通信用パルストランスの二次巻線である単層導線５に出力され、電力線１３を介して、図示せぬ通信相手に伝送される。
一方、図示せぬ通信相手が変調信号を電力線１３に出力すると、その変調信号は、通信用パルストランスの二次巻線である単層導線５に到達する。
このように、通信用パルストランスの単層導線５に変調信号が到達すると、通信用パルストランスのメガネ形コア１を貫くように、単層導線５に電流が流れるので、通信用パルストランスの一次側に変調信号の電圧が誘起される。
この結果、変調信号は、通信用パルストランスの一次巻線である中心導線２に出力され、変復調回路１１に入力される。
変復調回路１１は、図示せぬ通信相手から出力された変調信号を入力すると、その変調信号を復調する。
ここで、変復調回路１１から変調信号が通信用パルストランスの一次巻線に出力されたとき、その一次巻線が第２図のような同軸ケーブル状の二層導線ではなく、単なる単層導線であれば、通信用パルストランスの一次巻線と二次巻線間の静電容量結合により、一次側の変調信号がコモンモード信号として直接二次側に伝達される。
しかし、この実施の形態１では、通信用パルストランスの一次巻線が第２図のような同軸ケーブル状の二層導線であり、その二層導線の中心導線２が、一端がグランドに接地されている外側編組導線３によって包み込まれているので、一次巻線と二次巻線間の静電容量結合を介して伝達されるコモンモード信号は、グランド線４を通じてグランドに流れ、二次巻線である単層導線５には流れない。
以上で明らかなように、この実施の形態１によれば、同軸ケーブル状の二層導線をメガネ形コア１に複数回巻き付けて、その二層導線の中心導線２を一次巻線として利用する一方、その中心導線２の外側編組導線３の一端を接地するように構成したので、一次側から二次側へのコモンモード信号の伝達を抑制することができるようになり、その結果、電力線１３から漏洩する不要輻射を抑制することができる効果を奏する。
実施の形態２．
上記実施の形態１では、貫通穴１ａ，１ｂが施されているメガネ形コア１に同軸ケーブル状の二層導線と単層導線５が複数回巻き付けられているものについて示したが、第４図に示すように、貫通穴６ａが施されているリング形コア６に同軸ケーブル状の二層導線と単層導線５が複数回巻き付けられて、通信用パルストランスが構成されていてもよい。
第４図の通信用パルストランスが第３図の回路に適用された場合の作用は、第１図の通信用パルストランスの場合と同様である。
第４図の通信用パルストランスのリング形コア６に対する導線の巻きつけ方は次の通りである。
まず、中心導線２と外側編組導線３からなる同軸ケーブル状の二層導線は、例えば、図中、左側のリング形コア６の貫通穴６ａの手前側から挿入されて奥側より取り出され、さらに、右側のリング形コア６の貫通穴６ａの奥側から挿入されて手前側より取り出されることにより、２本のリング形コア６に巻き付けられる。
同軸ケーブル状の二層導線は、２本のリング形コア６に複数回巻き付けられることにより、その中心導線２が一次巻線を構成する。この際、中心導線２を包み込んでいる外側編組導線３は、グランド線４を介してグランドに接地される。
また、単層導線５は、例えば、図中、左側のリング形コア６の貫通穴６ａの奥側から挿入されて手前側より取り出され、さらに、右側のリング形コア６の貫通穴６ａの手前側から挿入されて奥側より取り出されることにより、２本のリング形コア６に巻き付けられる。
単層導線５は、２本のリング形コア６に複数回巻き付けられることにより、二次巻線を構成する。
この実施の形態２では、２本のリング形コア６に同軸ケーブル状の二層導線と単層導線５を巻き付けるものについて示したが、これに限るものではなく、例えば、１本のリング形コア６に同軸ケーブル状の二層導線と単層導線５を巻き付けるようにしてもよいし、３本以上のリング形コア６に同軸ケーブル状の二層導線と単層導線５を巻き付けるようにしてもよい。
実施の形態３．
上記実施の形態１では、貫通穴１ａ，１ｂが施されているメガネ形コア１に同軸ケーブル状の二層導線と単層導線５が複数回巻き付けられているものについて示したが、第５図に示すように、外鉄形コア７に同軸ケーブル状の二層導線と単層導線５が複数回巻き付けられて、通信用パルストランスが構成されていてもよい。
第５図の通信用パルストランスが第３図の回路に適用された場合の作用は、第１図の通信用パルストランスの場合と同様であるが、第５図のように、外鉄形コア７に同軸ケーブル状の二層導線と単層導線５を巻き付ける場合、第１図のメガネ形コア１や第４図のリング形コア６に巻き付ける場合よりも、巻数を増やすことができるため、上記実施の形態１，２よりも、低い周波数帯域で使用することができる効果を奏する。
【産業上の利用可能性】  以上のように、この発明に係る通信用パルストランスは、例えば、電力線を信号通信線として利用する際に、変復調回路と電力線間に設置されて、変復調回路と電力線間を絶縁するものであり、電力通信用のモデムなどに用いるのに適している。
【図１】
2005109455.tif 000002
【図２】
2005109455.tif 000003
【図３】
2005109455.tif 000004
【図４】
2005109455.tif 000005
【図５】
2005109455.tif 000006
【国際調査報告】
2005109455.tif 000007
2005109455.tif 000008
2005109455.tif 000009
2005109455.tif 000010